(57)【要約】【課題】調整可能な風向角度の範囲を拡大できる風向調整装置を提供する。【解決手段】風向調整装置10は、通風路22を有するケース体15と、複数の横ルーバ16とを備える。横ルーバ16は、ケース体15に通風路22を通過する空気の流れと交差する左右方向に沿って配置されるとともに左右方向の両端が回動可能に軸支され、通風路22を通過する空気の風向を調整する。横ルーバ16は、通風路22を通過する空気の流れに沿った方向の断面形状が、中間部36と、中間部36の両端から互いに異なる側に傾斜する両端の傾斜部37，38とを有する断面Ｓ字形状の複数のＳ字形横ルーバ34を含む。【選択図】図１
2019202740.tif 000002
【特許請求の範囲】
【請求項１】
通風路を有するケース体と、
前記ケース体に前記通風路を通過する空気の流れと交差する第１の所定方向に沿って配置されるとともにその第１の所定方向の両端が回動可能に軸支され、前記通風路を通過する空気の風向を調整する複数の第１のフィンとを具備し、
前記第１のフィンは、前記通風路を通過する空気の流れに沿った方向の断面形状が中間部とこの中間部の両端から互いに異なる側に傾斜する両端の傾斜部とを有する断面Ｓ字形状の複数のＳ字形フィンを含む
ことを特徴とする風向調整装置。
【請求項２】
前記ケース体に前記通風路を通過する空気の流れ及び前記第１の所定方向と交差する第２の所定方向に沿って配置されるとともにその第２の所定方向の両端が回動可能に軸支され、前記通風路を通過する空気の風向を調整する複数の第２のフィンと、
前記第１のフィンの１つに前記第１の所定方向に沿って移動可能に取り付けられるとともに前記第２のフィンと連結され、前記第１の所定方向への移動により前記第２のフィンの回動角度を操作する操作部とを具備し、
前記操作部が取り付けられる前記第１のフィンは、前記通風路を通過する空気の流れに沿った方向の断面形状が直線形状の直線形フィンである
ことを特徴とする請求項１記載の風向調整装置。
【請求項３】
前記Ｓ字形フィン及び前記直線形フィンを連動して回動させる第１のリンクを具備し、
前記Ｓ字形フィン及び前記直線形フィンが前記通風路に対して一方向及び他方向のいずれかに回動して傾斜する状態で、前記Ｓ字形フィンの最も傾斜する部分の傾斜角度が前記直線形フィンの傾斜角度よりも大きい
ことを特徴とする請求項２記載の風向調整装置。
【発明の詳細な説明】
【技術分野】
【０００１】
本発明は、複数のフィンの回動によって風向を調整する風向調整装置に関する。
【背景技術】
【０００２】
従来、自動車などの車両に用いられる空調装置において、空調風を吹き出す吹出口に備えられる風向調整装置は、空調風吹出装置、エアアウトレット、ベンチレータ、レジスタなどとも呼ばれ、例えばインストルメントパネルやセンターコンソール部などの車両の各部に設置され、冷暖房による快適性能の向上に寄与している。
【０００３】
このような風向調整装置として、通風路を有する筒状のケース体内に複数のフィンを回動可能に配置し、これら複数のフィンを一方向または他方向に回動させて傾斜させることにより、その複数のフィンの傾斜方向に風向を調整するようにした構成が知られている。
【０００４】
このような風向調整装置に用いられるフィンには、通風路を通過する空気の流れに沿った方向の断面形状を直線形状とする直線形フィンが多く用いられているが、ケース体とのクリアランスがあるために回動角度を大きくできず、調整可能な風向角度の範囲が比較的小さい。また、通風路を通過する空気の流れに沿ったフィンの下流側を回動方向の一方側に向けて傾斜させた下流側傾斜形フィンを用いることにより、その下流側傾斜形フィンの下流側の傾斜方向へ向けた風向角度を拡大することが可能となっている（例えば、特許文献１参照。）。
【先行技術文献】
【特許文献】
【０００５】
【特許文献１】特開平７−２０５６４８号公報（第２−３頁、図２）
【発明の概要】
【発明が解決しようとする課題】
【０００６】
しかしながら、下流側傾斜形フィンでは、その下流側傾斜形フィンの下流側が傾斜する方向への風向角度を拡大することが可能となるが、下流側傾斜形フィンの下流側が傾斜する方向に対して反対方向への風向角度を拡大することができず、調整可能な風向角度の範囲の拡大が十分でない。
【０００７】
本発明は、このような点に鑑みなされたもので、調整可能な風向角度の範囲を拡大できる風向調整装置を提供することを目的とする。
【課題を解決するための手段】
【０００８】
請求項１記載の風向調整装置は、通風路を有するケース体と、前記ケース体に前記通風路を通過する空気の流れと交差する第１の所定方向に沿って配置されるとともにその第１の所定方向の両端が回動可能に軸支され、前記通風路を通過する空気の風向を調整する複数の第１のフィンとを具備し、前記第１のフィンは、前記通風路を通過する空気の流れに沿った方向の断面形状が中間部とこの中間部の両端から互いに異なる側に傾斜する両端の傾斜部とを有する断面Ｓ字形状の複数のＳ字形フィンを含むものである。
【０００９】
請求項２記載の風向調整装置は、請求項１記載の風向調整装置において、前記ケース体に前記通風路を通過する空気の流れ及び前記第１の所定方向と交差する第２の所定方向に沿って配置されるとともにその第２の所定方向の両端が回動可能に軸支され、前記通風路を通過する空気の風向を調整する複数の第２のフィンと、前記第１のフィンの１つに前記第１の所定方向に沿って移動可能に取り付けられるとともに前記第２のフィンと連結され、前記第１の所定方向への移動により前記第２のフィンの回動角度を操作する操作部とを具備し、前記操作部が取り付けられる前記第１のフィンは、前記通風路を通過する空気の流れに沿った方向の断面形状が直線形状の直線形フィンであるものである。
【００１０】
請求項３記載の風向調整装置は、請求項２記載の風向調整装置において、前記Ｓ字形フィン及び前記直線形フィンを連動して回動させる第１のリンクを具備し、前記Ｓ字形フィン及び前記直線形フィンが前記通風路に対して一方向及び他方向のいずれかに回動して傾斜する状態で、前記Ｓ字形フィンの最も傾斜する部分の傾斜角度が前記直線形フィンの傾斜角度よりも大きいものである。
【発明の効果】
【００１１】
請求項１記載の風向調整装置によれば、第１のフィンとして複数のＳ字形フィンを用いて風向を調整することにより、調整可能な風向角度の範囲を拡大できる。
【００１２】
請求項２記載の風向調整装置によれば、請求項１記載の風向調整装置の効果に加えて、第１のフィンの１つに直線形フィンを用いることにより、第２のフィンの回動角度を操作するための操作部を直線形フィンに沿って移動可能に取り付けることができる。
【００１３】
請求項３記載の風向調整装置によれば、請求項２記載の風向調整装置の効果に加えて、Ｓ字形フィン及び直線形フィンが通風路に対して一方向及び他方向のいずれかに回動して傾斜する状態で、Ｓ字形フィンの最も傾斜する部分の傾斜角度が直線形フィンの傾斜角度よりも大きいことにより、調整可能な風向角度の範囲を拡大できる。
【図面の簡単な説明】
【００１４】
【図１】本発明の一実施の形態を示す風向調整装置の風向を風軸方向である略水平方向に調整した断面図である。
【図２】同上風向調整装置の風向を上方に調整した断面図である。
【図３】同上風向調整装置の風向を下方に調整した断面図である。
【図４】同上風向調整装置の斜視図である。
【発明を実施するための形態】
【００１５】
以下、本発明の一実施の形態を、図面を参照して説明する。
【００１６】
図１ないし図４において、10は風向調整装置で、この風向調整装置10は、ルーバ装置あるいはベンチレータなどとも呼ばれ、例えば自動車の被取付部材である図示しないインストルメントパネルなどに取り付けられ、空調装置に接続されて、車室内に風を吹き出し、空調を行う車両用空調装置を構成している。なお、以下、前後方向、左右方向及び上下方向については、風向調整装置10をインストルメントパネルなどに取り付けた状態での自動車の前後方向、左右方向及び上下方向を基準として説明する。
【００１７】
この風向調整装置10は、ケース体15と、このケース体15に回動可能に軸支された第１の風向調整羽根である第１のフィンとしての横ルーバ16と、この横ルーバ16よりも前方の位置でケース体15に配置された第２の風向調整羽根である第２のフィンとしての縦ルーバ17と、これら横ルーバ16及び縦ルーバ17のそれぞれの回動角度、すなわち振り角を操作する操作部としての操作ノブ18とを備えている。
【００１８】
そして、ケース体15は、例えば合成樹脂などによって角筒状に形成されたケース体本体21と、このケース体本体21の後端部に取り付けられる意匠部材としての角筒状のフィニッシャ（図示せず）とを備えている。また、このケース体15の内側は、通風路22となっているとともに、前側が空調装置のエアダクトに接続される接続口23、後側がフィニッシャにより区画される吹出口24となっている。このケース体15（ケース体本体21）の左右両側部には、横ルーバ16を軸支するための例えば丸穴状の第１の軸受部25，25が開口されている。このケース体15の上部及び下部には、縦ルーバ17を軸支するための例えば丸穴状の第２の軸受部26，26が開口されている。
【００１９】
また、横ルーバ16は、手前ルーバなどとも呼ばれ、通風路22内にて縦ルーバ17の風下側である後側に、通風路22を通過する空気の流れと交差する第１の所定方向である左右方向（水平方向）Ｄ1（図４参照）に沿って配置されている。この横ルーバ16は、ケース体15の第１の軸受部25，25に左右方向Ｄ1を回転軸として回動可能に軸支されている。この横ルーバ16は、通風路22を通過する空気の流れを制御する細長板状の第１の羽根部としての第１のフィン本体である横ルーバ本体31と、この横ルーバ本体31の長手方向すなわち左右両端部から突設され第１の軸受部25，25に嵌合してケース体15に回動可能に軸支される円柱状の第１の回動軸部32とを備え、ケース体15（ケース体本体21）に対して通風路22を通過する空気の流れ及び左右方向Ｄ1と交差（直交）する第２の所定方向としての上下方向（垂直方向）Ｄ2に回動可能となっている。
【００２０】
この横ルーバ16は、本実施の形態では複数設定され、上下方向Ｄ2に互いに離間されて配置されている。複数の横ルーバ16は、互いに連動して回動するように第１のリンク33によって連結されている。各横ルーバ16には、横ルーバ本体31の一端部に、第１の回動軸部32から離間されるとともにこの第１の回動軸部32と平行に、第１のリンク33と連結される図示しない第１のリンク軸部が突設されている。各横ルーバ16の第１のリンク軸部は、ケース体本体21の一側壁に設けられる溝部21aから外側に突出され、このケース体15の外側に配置される第１のリンク33に連結されている。そして、本実施の形態では、例えば全ての横ルーバ16が通風路22の風軸方向である前後方向Ｄ3に沿う中立位置から、第１のリンク33により各横ルーバ16が連動して上下方向Ｄ2に回動し、風向を調整可能に構成されている。また、本実施の形態では、これら横ルーバ16は、例えば上から下へと、徐々に後側にずれるように、換言すれば、吹出口24の開口面方向に略平行となるように配置されている。
【００２１】
これら横ルーバ16のいずれか１つ、例えば上下方向Ｄ2の中央部に位置する横ルーバ16には、図４に示すように、操作ノブ18が横ルーバ16（横ルーバ本体31）の長手方向である左右方向Ｄ1に沿って移動（スライド）可能に取り付けられている。
【００２２】
さらに、横ルーバ16は、通風路22を通過する空気の流れに沿った方向の断面形状が断面Ｓ字形状である複数のＳ字形フィンとしてのＳ字形横ルーバ34と、通風路22を通過する空気の流れに沿った方向の断面形状が直線形状の直線形フィンとしての直線形横ルーバ35とを備えている。本実施の形態では、横ルーバ16は、３つで、上下の２つがＳ字形横ルーバ34、中央の１つが直線形横ルーバ35である。
【００２３】
Ｓ字形横ルーバ34は、通風路22を通過する空気の流れに沿った方向の断面形状が、中間部36と、この中間部36の風上側及び風下側の両端から互いに異なる側に傾斜する両端の傾斜部37，38とを有する断面Ｓ字形状に形成されている。本実施の形態では、風上側の傾斜部（上流側傾斜部）37が中間部36から下側に向けて傾斜され、風下側の傾斜部（下流側傾斜部）38が中間部36から上側に向けて傾斜されている。これら傾斜部37，38の中間部36からの傾斜角度α1は、本実施の形態では約３３°である。さらに、図１に示すように横ルーバ16（Ｓ字形横ルーバ34）が通風路22の風軸方向である前後方向Ｄ3に沿う中立位置にある状態において、通風路22の風軸方向である前後方向Ｄ3に対するＳ字形横ルーバ34の傾斜部37，38の傾斜角度α2は、例えば２０°以下が好ましく（より好ましくは１５°以下）、本実施の形態では約１４°である。
【００２４】
また、縦ルーバ17は、奥ルーバなどとも呼ばれ、ケース体15内に上下方向Ｄ2に沿って配置されているとともに、ケース体15の第２の軸受部26，26に上下方向Ｄ2を回転軸として回動可能に軸支されている。この縦ルーバ17は、通風路22を通過する空気の流れを制御する矩形板状の第２の羽根部としての第２のフィン本体である縦ルーバ本体41と、この縦ルーバ本体41の長手方向すなわち上下両端部から突設され第２の軸受部26，26に嵌合してケース体15に回動可能に軸支される円柱状の第２の回動軸部42とを備え、ケース体15（ケース体本体21）に対して左右方向（水平方向）Ｄ1に回動可能となっている。
【００２５】
この縦ルーバ17は、本実施の形態では複数設定され、左右方向Ｄ1に互いに離間されて配置されている。複数の縦ルーバ17は、連動して回動するように第２のリンク43によって連結されている。各縦ルーバ17には、縦ルーバ本体41の下端部に、第２の回動軸部42から離間されるとともにこの第２の回動軸部42と平行に、第２のリンク43と連結される第２のリンク軸部44が突設されている。さらに、これら縦ルーバ17のいずれか１つ、例えば左右方向Ｄ1の中央部に位置する縦ルーバ17には、操作ノブ18の前部側が連結されている。そして、本実施の形態では、例えば全ての縦ルーバ17が通風路22の風軸方向である前後方向Ｄ3に沿う中立位置から、第２のリンク43により各縦ルーバ17が連動して左右方向Ｄ1に回動し、風向を調整可能に構成されている。
【００２６】
そして、自動車の乗員から見て、横ルーバ16が手前側、すなわち車室側に位置して吹出口24に露出し、縦ルーバ17が奥側、すなわち車体側に位置して、車室内の乗員から見て横ルーバ16の背後に位置されている。
【００２７】
また、操作ノブ18は、車両の乗員などの使用者が風向を変える際に摘んで操作するための摘み部である。この操作ノブ18は、この横ルーバ16（直線形横ルーバ35）に沿って左右方向Ｄ1に摺動（スライド）可能となっている。そして、操作ノブ18の上下方向Ｄ2への操作により、横ルーバ16が連動して上下に回動し、また、操作ノブ18の左右方向Ｄ1への操作により、縦ルーバ17が連動して左右に回動する。
【００２８】
そして、風向調整装置10は、空調装置から供給された空調風が接続口23からケース体15の内部の通風路22へと導入され、この通風路22を通過して吹出口24から乗員側、すなわち車室内に吹き出される。
【００２９】
このとき、操作ノブ18を横ルーバ16に沿って左右方向Ｄ1に操作すると、縦ルーバ17が左右方向Ｄ1に回動し、吹出口24から吹き出される空調風の風向が左右に調整される。一方、操作ノブ18を横ルーバ16とともに上下方向Ｄ2に操作すると、横ルーバ16が上下方向Ｄ2に回動し、吹出口24から吹き出される空調風の風向が上下に調整される。
【００３０】
そして、図１には、横ルーバ16（Ｓ字形横ルーバ34及び直線形横ルーバ35）が通風路22の風軸方向である前後方向Ｄ3に沿う中立位置にある状態を示す。Ｓ字形横ルーバ34は、傾斜部37、中間部36及び傾斜部38が風軸方向である前後方向Ｄ3に並ぶことにより、空調風の風向が通風路22の風軸方向である略水平方向に調整される。直線形横ルーバ35は、通風路22の風軸方向である前後方向Ｄ3に沿うことにより、空調風の風向が通風路22の風軸方向である略水平方向に調整される。したがって、横ルーバ16により、空調風が吹出口24から通風路22の風軸方向である略水平方向に吹き出す。
【００３１】
Ｓ字形横ルーバ34が中立位置にある状態においては、Ｓ字形横ルーバ34が吹出口24から通風路22の風軸方向である略水平方向に吹き出す空調風の流れを阻害しないことが好ましい。このＳ字形横ルーバ34が中立位置にある状態において、通風路22の風軸方向である前後方向Ｄ3に対するＳ字形横ルーバ34の傾斜部37，38の傾斜角度α2は、例えば２０°以下が好ましく（より好ましくは１５°以下）、本実施の形態では約１４°であるため、Ｓ字形横ルーバ34が吹出口24から通風路22の風軸方向である略水平方向に吹き出す空調風の流れを阻害することが少なく、空調風が吹き出す風力や風量への影響を少なくできる。
【００３２】
図２には、横ルーバ16（Ｓ字形横ルーバ34及び直線形横ルーバ35）が上方に向けて回動された風向の上振り状態を示す。Ｓ字形横ルーバ34は、傾斜部37、中間部36及び傾斜部38の上面側が風上側に対向するように上振り傾斜し、空調風が傾斜部37、中間部36及び傾斜部38の上面側に当たることにより、空調風の風向が上方へ向けて調整される。このとき、Ｓ字形横ルーバ34の上面側でのコアンダ効果（噴流が粘性の効果により周りの流体を引き込むこと）により、空調風が上方へ向けて流れやすく、上方への風向角度が大きくなる。直線形横ルーバ35は、上面側が風上側に対向するように上振り傾斜し、空調風が上面側に当たることにより、空調風の風向が上方へ向けて調整される。したがって、横ルーバ16により、空調風が吹出口24から上方に向けて吹き出す。
【００３３】
Ｓ字形横ルーバ34及び直線形横ルーバ35が通風路22に対して一方向である上方に向けて回動して傾斜する状態では、通風路22の風軸方向である前後方向Ｄ3に対して、Ｓ字形横ルーバ34の最も傾斜する部分つまり風下側の傾斜部38の傾斜角度β1が直線形横ルーバ35の傾斜角度β2よりも大きくなる。そのため、Ｓ字形横ルーバ34では、通風路22の風軸方向である前後方向Ｄ3に対して、空調風の上方への風向角度を直線形横ルーバ35による風向角度に比べて大きくできる。
【００３４】
図３には、横ルーバ16（Ｓ字形横ルーバ34及び直線形横ルーバ35）が下方に向けて回動された風向の下振り状態を示す。Ｓ字形横ルーバ34は、傾斜部37、中間部36及び傾斜部38の下面側が風上側に対向するように下振り傾斜し、空調風が傾斜部37、中間部36及び傾斜部38の下面側に当たることにより、空調風の風向が下方へ向けて調整される。このとき、Ｓ字形横ルーバ34の下面側でのコアンダ効果（噴流が粘性の効果により周りの流体を引き込むこと）により、空調風が下方へ向けて流れやすく、下方への風向角度が大きくなる。直線形横ルーバ35は、下面側が風上側に対向するように下振り傾斜し、空調風が下面側に当たることにより、空調風の風向が下方へ向けて調整される。したがって、横ルーバ16により、空調風が吹出口24から下方に向けて吹き出す。
【００３５】
Ｓ字形横ルーバ34及び直線形横ルーバ35が通風路22に対して他方向である下方に向けて回動して傾斜する状態では、通風路22の風軸方向である前後方向Ｄ3に対して、Ｓ字形横ルーバ34の最も傾斜する部分つまり中間部36の傾斜角度β3が直線形横ルーバ35の傾斜角度β4よりも大きくなる。そのため、Ｓ字形横ルーバ34は、通風路22の風軸方向である前後方向Ｄ3に対して、空調風の下方への風向角度を直線形横ルーバ35による風向角度に比べて大きくできる。
【００３６】
そして、横ルーバ16が複数のＳ字形横ルーバ34を含む本実施の形態と、横ルーバ16が直線形横ルーバ35のみの場合の比較例とについて、吹出口24から吹き出す風の風軸角度を測定する風向制御性測定試験を行った。試験では、風量２．０ｍ3/min、上振り時の横ルーバ16の回動角度３５°、下振り時の横ルーバ16の回動角度４０°とした。
【００３７】
その結果、比較例では、上振り時の風軸角度が３７°、下振り時の風軸角度が−３７．７°であったのに対して、本実施の形態では、上振り時の風軸角度が４２．１°、下振り時の風軸角度が−４０．８°となり、上振り時の風軸角度が５．１°、下振り時の風軸角度が３．１°それぞれ拡大した。
【００３８】
このように、本実施の形態では、横ルーバ16に複数のＳ字形横ルーバ34を用いて上下方向Ｄ2の空調風の風向を調整することにより、上下方向Ｄ2に調整可能な風向角度の範囲を拡大できる。
【００３９】
また、横ルーバ16の１つに操作ノブ18を取り付けるが、仮にＳ字形横ルーバ34に操作ノブ18を取り付けるとした場合、操作ノブ18の形状が複雑になったり、操作感の調整が難しくなる。そこで、操作ノブ18を取り付ける横ルーバ16に直線形横ルーバ35を用いることにより、操作ノブ18の形状を簡単にできたり、操作感の調整がし易くできる。
【００４０】
また、Ｓ字形横ルーバ34及び直線形横ルーバ35が通風路22に対して一方向及び他方向のいずれかに回動して傾斜する状態で、Ｓ字形横ルーバ34の最も傾斜する部分の傾斜角度が直線形横ルーバ35の傾斜角度よりも大きいことにより、上下方向Ｄ2に調整可能な風向角度の範囲を拡大できる。
【００４１】
また、Ｓ字形横ルーバ34が中立位置にある状態において、通風路22の風軸方向である前後方向Ｄ3に対するＳ字形横ルーバ34の傾斜部37，38の傾斜角度α2は、例えば２０°以下が好ましく（より好ましくは１５°以下）、本実施の形態では約１４°とするため、上下方向Ｄ2に調整可能な風向角度の範囲を拡大できるとともに、Ｓ字形横ルーバ34が中立位置にある状態においては、吹出口24から通風路22の風軸方向である略水平方向に吹き出す空調風の流れを阻害することが少なく、空調風が吹き出す風力や風量への影響を少なくできる。
【００４２】
なお、上記実施の形態において、Ｓ字形横ルーバ34は、上下面が逆向きでもよい。すなわち、Ｓ字形横ルーバ34は、風上側の傾斜部37が中間部36から上側に向けて傾斜され、風下側の傾斜部38が中間部36から下側に向けて傾斜されていてもよい。この場合にも、上下方向Ｄ2に調整可能な風向角度の範囲を拡大できる。
【００４３】
また、上記実施の形態では、横ルーバ16が３本の場合で、上下の横ルーバ16がＳ字形であり、真ん中の横ルーバ16が直線形であるが、例えば、４本の場合には、上側２本と下側１本をＳ字形、残りの１本を直線形とし、また、５本の場合には、上下２本ずつをＳ字形、真ん中の１本を直線形とすることもできる。すなわち、少なくとも上下両端がＳ字形であれば、真ん中側はＳ字形、直線形のいずれでも構わない。
【００４４】
また、上記実施の形態では、上下の横ルーバ16（Ｓ字形横ルーバ34）の傾斜角度α1は、同一に設けたが、それぞれ異なる角度にしても構わない。さらに、上下の横ルーバ16（Ｓ字形横ルーバ34）の傾斜部37の傾斜角度α1と傾斜部38の傾斜角度α1とは、それぞれ異なる角度にしても構わない。
【００４５】
また、縦ルーバ17にも、Ｓ字形フィン構造を適用し、左右方向Ｄ1に調整可能な風向角度の範囲を拡大してもよい。
【００４６】
また、風向調整装置10の使用場所などによっては、通風路22の風軸方向における横ルーバ16と縦ルーバ17との配置関係は逆でもよい。
【００４７】
また、上記実施の形態において、横ルーバ16は、操作ノブ18で直接回動させる構成の他に、例えばケース体15に操作可能に取り付けられたダイヤルなどの操作体により回動させることもできる。
【００４８】
また、風向調整装置10は、横ルーバ16及び縦ルーバ17のいずれか一方のみを備え、その一方にＳ字形フィン構造を適用してもよい。
【産業上の利用可能性】
【００４９】
本発明は、例えば、自動車のインストルメントパネルなどに備えられる空調装置の風向調整装置として適用できる。
【符号の説明】
【００５０】
10    風向調整装置
15    ケース体
16    第１のフィンとしての横ルーバ
17    第２のフィンとしての縦ルーバ
18    操作部としての操作ノブ
22    通風路
33    第１のリンク
34    Ｓ字形フィンとしてのＳ字形横ルーバ
35    直線形フィンとしての直線形横ルーバ
36    中間部
37，38    傾斜部
D1    第１の所定方向としての左右方向
D2    第２の所定方向としての上下方向
【図１】
2019202740.tif 000003
【図２】
2019202740.tif 000004
【図３】
2019202740.tif 000005
【図４】
2019202740.tif 000006